(57)【要約】【課題】変更の自由度が高く、かつ、高い施工性及び長期に渡る使用にも耐えることのできるハンギング収納装置を提供する。【解決手段】建物の室内壁面に沿って格子状に取り付けられ、該格子に沿って具備される縦横のレール４５、５０を有するとともに、格子状であることにより形成される複数の単位フレーム４２のそれぞれに設けられる孔４６を有する下地材４０と、下地材の室内空間側に設けられ、下地材に対して所定の間隙を有して配置される装飾パネル１１と、一端を装飾パネルの室内壁面側に取り付けられ、他端を下地材の孔に着脱可能に係止される調整ピン２０と、下地材のレールに取り付けられる収納手段１５、１６とを備える。【選択図】図２
2008002211.tif 000002
【特許請求の範囲】
【請求項１】
建物の室内壁面に沿って格子状に取り付けられ、該格子に沿って具備される縦横のレールを有するとともに、前記格子状であることにより形成される複数の単位フレームのそれぞれに設けられる孔を有する、下地材と、
前記下地材の室内空間側に設けられ、前記下地材に対して所定の間隙を有して配置される装飾パネルと、
一端を前記装飾パネルの前記室内壁面側に取り付けられ、他端を前記下地材の前記孔に着脱可能に係止される調整ピンと、
前記下地材の前記レールに取り付けられる収納手段と、を備える、ハンギング収納装置。
【請求項２】
前記調整ピンの前記下地材に係止される前記他端が、前記建物の室内壁面に平行である方向及び垂直である方向のいずれにも移動可能とされる調整手段を備えることを特徴とする、請求項１に記載のハンギング収納装置。
【発明の詳細な説明】
【技術分野】
【０００１】
本発明は、建物室内の壁面に備えられるハンギング収納装置に関し、詳しくは収納棚等の配置を変更する際に自由度が高く、利用者が当該配置の変更を自ら容易に行うことが可能であるとともに、長期間の使用にも耐えることのできるハンギング収納装置に関する。
【背景技術】
【０００２】
近年、居室内の収納に対して関心が高まり、実用性、意匠性のみでなく、居住者の好みに合わせてその収納棚等の配置を変更できる自由度の高い収納装置が求められている。
【０００３】
このような収納装置の１つにハンギング収納装置という形式の収納装置がある。これは、建物の室内壁面に沿って複数のパネルを配置し、該パネルとパネルとの間に室内空間側に突出させた板を差し込むように配置して、この板を収納棚とするという装置である。これによれば、パネルとパネルとの間であれば板の配置をある程度利用者の自由に設定することができ、上記のような自由度の高い収納装置とすることができる。
【０００４】
特許文献１には、建物の室内壁面に取り付けた複数のパネルの間隙の形状と、これに差し込まれる棚板端部の形状とにより、容易に棚板を接続することができるとともに、当該間隙が美観を損なわないように形成されたハンギング収納装置における内装パネルが開示されている。
【特許文献１】特開２００３−２７８３４９号公報
【発明の開示】
【発明が解決しようとする課題】
【０００５】
しかし、特許文献１に記載されたハンギング収納装置の内装パネルでは、棚板を取り付ける溝（パネルとパネルとが形成する間隙）が水平方向にしか設けられておらず棚板の配置の自由度をさらに大きくしたいという要望があった。また、当該内装パネルは、建物の室内壁面に直接にねじ等で固定して取り付けられるので、例えばパネル自体の模様や色彩の変更を利用者が考えた場合に、該利用者が代わりのパネルを購入し、自分で内装パネルを交換するということが困難であった。このように特許文献１等のような従来のハンギング収納装置では、利用者が自分の好みに合わせて行うことのできる変更の範囲が限られたものであった。
【０００６】
加えて、特許文献１に記載されたハンギング収納装置では、上述のように建物の室内壁面に直接内装パネルを取り付けるため、壁からの熱と、室内からの熱とが同時に伝わり、内装パネル内で温度差が大きく生じて、該内装パネルの反りや変形等の原因となり、長期に渡る使用で溝に棚板が取り付けられなくなる場合もあった。また、室内壁面に微妙な凹凸がある場合には、隣り合う棚板同士で段差が生じてしまう場合があり、意匠性を損なってしまうこともあった。このように特許文献１等のような従来のハンギング収納装置では、施工上及び維持の観点からも解決すべき事項があった。
【０００７】
そこで本発明はかかる観点から、変更の自由度が高く、かつ、高い施工性及び長期に渡る使用にも耐えることのできるハンギング収納装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物の室内壁面に沿って格子状に取り付けられ、該格子に沿って具備される縦横のレール（４５、５０）を有するとともに、格子状であることにより形成される複数の単位フレーム（４２）のそれぞれに設けられる孔（４６）を有する下地材（４０）と、下地材の室内空間側に設けられ、下地材に対して所定の間隙を有して配置される装飾パネル（１１）と、一端を装飾パネルの室内壁面側に取り付けられ、他端を下地材の孔に着脱可能に係止される調整ピン（２０）と、下地材のレールに取り付けられる収納手段（１５、１６）とを備えるハンギング収納装置（１０）を提供することにより前記課題を解決する。
【００１０】
請求項２に記載の発明は、請求項１に記載のハンギング収納装置（１０）の調整ピン（２０）の下地材（４０）に係止される他端が、建物の室内壁面に平行である方向及び垂直である方向のいずれにも移動可能とされる調整手段（２１〜２５）を備えることを特徴とする。
【発明の効果】
【００１１】
請求項１の発明によれば、下地材が縦横のレールを備えることにより、収納手段を横位置だけでなく縦位置にも自由に配置することができ、利用者にとって変更自由度が高く利便性の良い、ハンギング収納装置を提供することができる。また、装飾パネルは下地材に引掛けて配置することができるので、着脱も容易であり、利用者が模様替え等を自らすることができ、かかる観点からも自由度の高いハンギング収納装置を提供することができる。
【００１２】
また、装飾パネルが下地材と間隙を有して備えられるので、室内壁面と室内空間との温度差の影響を受けず、装飾パネルの反りや変形等を防止することができ、長期間の使用に耐え得るハンギング収納装置を提供することができる。
【００１３】
請求項２の発明によれば、隣り合う装飾パネルとの位置関係を室内壁面に平行である方向及び垂直である方向に容易に調整することができる。これによって、利用者が自らの好みにより装飾パネルを規則正しく配置すること、又は逆にあえて凹凸を有して配置し、意匠性を高めること等ができ、利用者とって利便性の高いハンギング収納装置を提供することができる。
【００１４】
本発明のこのような作用及び利得は、次に説明する発明を実施するための最良の形態から明らかにされる。
【発明を実施するための最良の形態】
【００１５】
以下本発明を図面に示す実施形態に基づき説明する。
【００１６】
図１は１つの実施形態にかかる本発明のハンギング収納装置１０が、建物の室内壁面に備えられた姿勢における室内側斜視図である。図１では、見易さのために繰り返しとなる構成要素の一部の符号を省略している。ハンギング収納装置１０は、図１のように、室内空間側からの視線で室内壁面に沿って縦横に配列された装飾パネル１１、１１、…を備えている。そして装飾パネル１１と、装飾パネル１１との間には縦横ともに間隙が設けられている。当該間隙には例えば、取付部材１６、１６を介して設けられる棚板１５等の収納手段が備えられている。
【００１７】
本実施形態では、装飾パネル１１、１１、…は水平方向に４列、鉛直方向に３段設けられ、合計１２枚の装飾パネル１１、１１、…が用いられているが、枚数は特に限定されることなく、利用者の好み、室内壁面が許容する範囲で装飾パネルの数を適宜増減することができる。また、本実施形態の装飾パネル１１、１１、…は正方形のパネルであるが、この形状も正方形に限定されることはなく、長方形等の他の形状であってもよい。そしてその大きさも特に限定されるものではない。
【００１８】
また、取付部材１６、１６及び棚板１５は装飾パネル１１、１１、…の間隙の室内壁面側に備えられた後述するレール４５、５０（図２参照）を介して取り付け可能であるので、水平方向位置のみでなく鉛直方向にもその配置を変更することができ、変更自由度の高いハンギング収納装置１０とすることができる。
【００１９】
図２はハンギング収納装置１０の主要な構成を示す分解斜視図である。ハンギング収納装置１０は、室内壁面側から室内空間側に向けて下地材４０と、調整ピン２０、２０、…と、装飾パネル１１、１１、…とをこの順に備えている。以下にそれぞれについて説明する。図２では、収納手段である棚板１５、及び取付部材１６は省略して示している。これらについては、後で説明する。
【００２０】
下地材４０は、図２に示したように複数の集合フレーム４１、４１、４１、及び横レール５０、５０とを備えている。ここで集合フレーム４１は、横材４３、４３と縦材４４、４４とにより形成された単位フレーム４２を複数備えている。さらに、該単位フレーム４２、４２、…は所定の間隙を有して水平方向に並列に並べられるとともに、隣り合う端部同士がレール状断面を有する縦レール４５、４５、…で連結されている。従って、下地材４０では、縦レール４５、４５、…と横レール５０、５０とにより格子が形成されており、該格子によっても単位フレーム４２、４２、…に相当するフレームが構成されている。
【００２１】
さらに詳しく下地材４０について説明する。図３は下地材４０を室内空間側から見た正面図で、その一部（上端の左側端部）に注目して示した図である。また、図４には図３に対応する上面図、図５には図３にＡ−Ａで示した線に沿った断面図をそれぞれ示した。図４では紙面下が室内空間側、紙面上が室内壁面側である。また図５では紙面左が室内壁面側、紙面右が室内空間側である。図２〜図５を参照しつつ下地材４０についてさらに説明する。
【００２２】
図３からわかるように下地材４０は、室内空間側からの正面視で縦材４４の上下両端部に水平方向を長手方向としたスリット４４ａ、４４ａを備えている。さらに縦材４４には、スリット４４ａ、４４ａの上方又は下方貫通孔４６、４６が設けられている。この貫通孔４６、４６は大小２つの円形孔４６ａ、４６ｂがその中心位置をずらして連結された形状を有しており、大径の円形孔４６ａが上、小径の円形孔４６ｂが下に配置されている。また横レール５０は図２からもわかるように水平に設けられた部材で、集合フレーム４１、４１に挟まれるように具備される。ここで、横レール５０の上下端部には、スリット４４ａの上方又は下方に２つの孔５０ａ、５０ａが設けられている。
【００２３】
図４からわかるように下地材４０は、１つの単位フレーム４２と他の単位フレーム４２とがその端部で縦レール４５を介して連結されている。縦レール４５は、横断面において室内空間側（図４の紙面下側）に開口した略コの字型を有するとともに、該開口部がコの字内側より狭くされるように片を備えており、レール状の断面とされている。
【００２４】
さらに図５からわかるように下地材４０における横レール５０はその断面において、縦レール４５と同様に開口部を室内空間側（図５の紙面右側）に開口され、開口部が内側より狭くされた片を有するコの字型部５０ｂを備えている。さらに横レール５０は、該コの字型部５０ｂの上下端部のそれぞれから上又は下方に延在した片５０ｃ、５０ｄを備えている。そして、該片５０ｃ、５０ｄが集合フレーム４１の横材４３、４３に当接されている。さらには、該集合フレーム４１及び横レール５０の室内壁面側（図５の紙面左側）に、集合フレーム４１と横レール５０とを渡して配置された連結部材５５が具備されている。そして、集合フレーム４１又は横レール５０と、連結部材５５とを貫き、室内壁まで到達する固定部材５６、５６、…及び室内壁面に到達しない短い固定部材５７、５７により集合フレーム４１及び横レール５０は、共に室内壁面に取り付けられる。このとき固定部材５６、５６、…及び固定部材５７、５７を取り付けるために図３で示したスリット４４ａ又は孔５０ａ、５０ａが用いられる。
【００２５】
かかる構成の下地材４０により縦横レール４５、５０を有するハンギング収納装置１０を提供することができ、配置の自由度を大きくすることが可能となる。
【００２６】
次に調整ピン２０について説明する。図６に調整ピン２０の分解斜視図を、図７には調整ピン２０の縦断面図（図７（ａ））及び室内側正面図（図７（ｂ））を示した。図６では、紙面右上が室内壁面側、紙面左下が室内空間側を、図７（ａ）では紙面右が室内空間側、紙面左が室内壁面側をそれぞれ表している。図６及び図７を参照しつつ調整ピン２０について説明する。調整ピン２０は、室内壁面側から室内空間側に向けて、固定部材２１と、係止部材２２と、調整部材２３と、固定板２４と、角ナット２５とをこの順に備えている。
【００２７】
固定部材２１は、頭部２１ａとねじ部２１ｂとを有する、いわゆる「ねじ」である。係止部材２２は、同軸で径の異なる２つの筒状体２２ａ、２２ｂが端部同士を連結された形状の部材であり、大径の筒状体２２ａが室内壁面側、小径の筒状体２２ｂが室内空間側とされている。また、係止部材２２は、軸に沿って該係止部材２２を貫通する孔２２ｃを有しており、該孔２２ｃの径は固定部材２１のねじ部２１ｂより大きく、かつ、頭部２１ａの径よりは小さく形成されている。
【００２８】
調整部材２３は、円板２３ａと、該円板２３ａより外径が小さい筒状体２３ｂと、が同軸で連結された形状の部材であり、円板２３ａが室内壁面側、筒状体２３ｂが室内空間側に配置されている。筒状体２３ｂの外表面はねじ溝が設けられている。また、調整部材２３の内側は同軸の３つの孔２３ｃ、２３ｄ、２３ｅが設けられており、当該３つの孔２３ｃ、２３ｄ、２３ｅが連結されることにより調整部材２３が軸方向に貫通した孔を有するものとされている。詳しくは、孔２３ｃは、調整部材２３の室内壁面側端面から該調整部材２３と同軸に設けられた所定の深さを有する円形断面を有する孔であり、その径は上記の係止部材２２の筒状体２２ｂの外径よりも大きくされている。孔２３ｄは、孔２３ｃから連続して同軸に設けられた円形断面を有する孔で、その径は上記係止部材２２の筒状体２２ｂの外径、及び後述する角ナット２５の対角線の長さよりも短く、かつ、固定部材２１のねじ部２１ｂの径よりは大きくされている。孔２３ｅは孔２３ｄに連続して同軸に設けられた矩形断面を有する孔で、所定の大きさを有している。この大きさは、１辺が後述する角ナット２５の対角線の長さよりも短くされている。
【００２９】
固定板２４は、矩形の板２４ａと、該板２４ａの板厚方向の中心軸を軸とする筒状体２４ｂとを有する。また、固定板２４は、貫通した孔２４ｃを備えている。ここで、孔２４ｃの内壁面には、調整部材２３の筒状体２３ｂの外面に設けられたねじに対応するめねじが形成されている。さらに、板２４ａには、筒状体２４ｂより外側に板厚方向に貫通した孔２４ｄ、２４ｅが設けられている。
【００３０】
角ナット２５は、外形が矩形であるナットであり、固定部材２１のねじ部２１ｂに対応したものである。角ナット２５の外側形状は、上述したように、対角線の長さが孔２３ｅの１辺、及び孔２３ｄの径よりも大きく形成されている。加えて、その１辺は、孔２３ｅの１辺よりは短くされている。
【００３１】
かかる各部材を有する調整ピン２０は次のように組み立てられる。すなわち図７（ａ）及び図７（ｂ）に示したように、固定板２４の孔２４ｃの内側に調整部材２３の筒状体２３ｂが、上述のネジの関係によりねじ込まれて連結される。そして、調整部材２３に対して、係止部材２２の筒状体２２ｂが孔２３ｃの内側に配置されるとともに、孔２３ｄを貫通することができないので、ここで調整部材２３に当接される。一方、角ナット２５は、孔２３ｅの内側に配置されるとともに、孔２３ｄを貫通することができないのでここで調整部材２３に当接される。さらに、固定部材２１のねじ部２１ｂが、孔２２ｃ、２３ｄを貫通して角ナット２５にねじ込まれ、各部材が安定して連結される。
【００３２】
このように調整ピン２０を構成すると、係止部材２２と固定板２４との相対位置を、固定板２４の３６０°全方向及び板厚方向に変更することが可能となる。具体的には、固定部材２１と角ナット２５とのねじ留めを緩めることにより、係止部材２２と角ナット２５とが調整部材２３を挟む力が弱まり、固定部材２１のねじ部２１ｂが調整部材２３の孔２３ｄ内を移動することができる。同時に、係止部材２２が調整部材２３の孔２３ｃ内を３６０°全方向に移動可能となるとともに、角ナット２５も調整部材２３の孔２３ｅ内を３６０°全方向に移動できる。すなわち、これらいずれかの範囲内で、係止部材２２は３６０°全方向に移動可能である。ここで、固定部材２１を緩める際には、上述のように角ナット２５の対角線は孔２３ｃの１辺より長く形成されているので、角ナット２５は該孔２３ｃ内を自由に回転することはできない。従って、空回りすることなく適切に固定部材２１を回転させて緩めることができる。
【００３３】
また、上述のように固定板２４と調整部材２３とは、ねじによって連結されている。従って調整部材２３を回転させれば、ねじの作用により、調整部材２３は図７に矢印Ｂで示した方向に移動させることができる。
【００３４】
次に装飾パネル１１、１１、…について説明する。装飾パネル１１、１１、…は、図１、図２に示したように、室内における意匠性を高めるために配置される板材である。従って、装飾パネル１１、１１、…の室内空間側面は利用者の好みに応じた装飾が施されている。一方、装飾パネル１１、１１、…の室内壁面側の面には、上記調整ピン２０が取り付けられる位置に、調整ピン２０の筒状体２４ｂが挿入できる凹部１１ａ、１１ａが設けられている（図８、図９参照）。
【００３５】
以上のような各要素を有するハンギング収納装置１０は例えば次のように組み立てられて利用される。図８はハンギング収納装置１０の縦断面図のうちの上部を拡大して示した図である。また、図８では紙面左が室内壁面側、紙面右が室内空間側である。上述のように本発明のハンギング収納装置１０は、室内壁面側から室内空間側に向けて、下地材４０と、調整ピン２０と、装飾パネル１１とをこの順に備える。下地材４０の室内壁面への取り付けは上述したように、固定部材５６、５６、…によって行われる。一方、調整ピン２０、２０、…及び装飾パネル１１、１１、…は、下地材４０に取り付けられる前に、予め組み合わせられている。具体的には、装飾パネル１１の室内壁面側の面に設けられた、凹部１１ａ、１１ａに筒状体２４ｂを挿入し、固定板２４の孔２４ｄ、２４ｅ（図６参照）を介して固定部材（不図示）により固定する。これにより、装飾パネル１１の室内壁面側の面には、固定板２４の板２４ａと、調整部材２３の円板２３ａと、係止部材２２の端部が突出して配置される。
【００３６】
次に、調整ピン２０が取り付けられた装飾パネル１１における突出して配置された調整部材２３を下地材４０の孔４６ａ（図３参照）に差し込むように配置する。このとき係止部材２２の大径の筒状体２２ａが孔４６ａを貫通するように差し込まれる。すると、孔４６ａの内側には小径の筒状体２２ｂが配置される。そして装飾パネル１１をわずかに下方に移動させると小径の筒状体２２ｂは孔４６ｂに移動する。ここで、孔４６ｂは、係止部材２２の大径の筒状体２２ａよりも小さい径とされており、筒状体２２ａは孔４６ｂを貫通することができないようにされている。従って、装飾パネル１１は孔４６ｂに引っ掛かるように下地材４０に係止され、安定して取り付けられる。
【００３７】
このように本発明のハンギング収納装置１０では、装飾パネル１１を手軽に着脱することができ、利用者が該装飾パネル１１を容易に交換することができる。従って利用者は模様替えや新しい装飾パネルの取り付けを自らすることが容易となる。
【００３８】
さらには、図７で説明したように調整ピン２０の係止部材２２の位置を微調整することができるので、隣り合う装飾パネル１１との位置関係を壁面に平行な方向及び壁面と垂直な方向に容易に調整することができる。これによって、利用者が自らの好みにより装飾パネル１１、１１、…を規則正しく配置すること、又は逆にわざと凹凸を演出して配置すること等ができ、利用者とって利便性の高いハンギング収納装置１０を提供することができる。
【００３９】
図９は、図８の縦断面のうち調整ピン２０が備えられた部分を拡大して示した図である。図９からわかるように、本発明のハンギング収納装置１０では、調整ピン２０により、下地材４０と装飾パネル１１との間にＣで示した間隙を設けることができる。これにより室内壁面と室内空間との温度差が装飾パネル１１に直接影響を与えることがなく、装飾パネル１１の反り、変形等が生じ難いので、長期間に渡り適切にその機能を維持することができる。
【００４０】
本実施形態では、図２に示したように、１つの装飾パネル１１に４つずつの調整ピン２０が備えられる。しかし調整ピン２０が備えられる個数は特に限定されるものではなく、必要に応じて適宜変更可能である。本実施形態では、装飾パネル１１の安定な取り付け性等の観点から、１つの装飾パネル１１に４つの調整ピン２０、２０、…を配置した。
【００４１】
さらにハンギング収納装置１０に備えられる収納手段である棚板１５は、例えば次のように取り付けられる。図１０に横レール５０に棚板１５が取り付けられた場面における断面図を示した。このように、棚板１５は、一端側を横レール５０の内側に係合され、他端側に棚板１５が取り付けられる取付部材１６を介してハンギング収納装置１０に設置される。ただし、棚板１５のハンギング収納装置１０への取り付けは特に限定されるものではなく、通常に考えられるあらゆる形式を適用することができる。上記はその一例である。
【００４２】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴うハンギング収納装置も本発明の技術的範囲に包含されるものとして理解されなければならない。
【図面の簡単な説明】
【００４３】
【図１】１つの実施形態にかかる本発明のハンギング収納装置の外観斜視図である。
【図２】図１に示したハンギング収納装置の分解斜視図である。
【図３】下地材の一部を拡大して示した室内視正面図である。
【図４】図３の上面図である。
【図５】図３にＡ−Ａで示した部位における断面図である。
【図６】調整ピンの分解斜視図である。
【図７】調整ピンの縦断面図及び正面図である。
【図８】ハンギング収納装置の断面図で一部を拡大して示した図である。
【図９】図８の調整ピンの周囲を拡大して示した図である。
【図１０】本発明のハンギング収納装置に棚板が取り付けられた場面における該棚板の取り付け部分の縦断面図である。
【符号の説明】
【００４４】
１０  ハンギング収納装置
１１  装飾パネル
１５  棚板
１６  取付部材
２０  調整ピン
２１  固定部材
２２  係止部材
２３  調整部材
２４  固定板
２５  角ナット
４０  下地材
４１  フレーム
４２  単位フレーム
４３  横フレーム
４４  縦フレーム
４５  縦レール
４６  孔
５０  横レール
５５  連結部材
５６  固定部材
【図１】
2008002211.tif 000003
【図２】
2008002211.tif 000004
【図３】
2008002211.tif 000005
【図４】
2008002211.tif 000006
【図５】
2008002211.tif 000007
【図６】
2008002211.tif 000008
【図７】
2008002211.tif 000009
【図８】
2008002211.tif 000010
【図９】
2008002211.tif 000011
【図１０】
2008002211.tif 000012